(57)【要約】  無線通信装置（１０）は、装置（１０）内で利用可能な所在位置情報を利用して、電子フィードコンテンツの検索を調整するように構成される。例えば、装置（１０）はその現在の所在位置を自動的に利用して、ローカライズされたニュースフィード、ローカライズされたポッドキャスト、ローカライズされたウェブページ、などを検索することができる。１つの実施形態では、装置（１０）は電子フィードコンテンツを検索し、次いで、所在位置情報に基づいて当該コンテンツをフィルタリングして、局所的に関連性のあるコンテンツを識別する。このコンテンツは表示することができたり、装置（１０）のユーザが別様に利用したりすることができる。別の実施形態では、装置（１０）はその所在位置情報のすべて又は一部をリモート・コンテンツサーバ（６０）へ提供し、次いでコンテンツサーバ（６０）は当該情報に基づいてローカライズされたコンテンツを送信する。少なくとも１つの実施形態では、装置（１０）は、必要に応じて、この装置の現在の所在位置の変化に応じて、ローカライズされたフィード（８０〜８６）の加入登録を確立し、次いでこの登録を終了させる。さらに、装置（１０）は、所在位置を格納するか、あるいは別様にこの所在位置を追跡して、前の所在位置に関連するローカライズされたコンテンツを検索することができる。
2009514091.tif 000002
【特許請求の範囲】
【請求項１】
無線通信装置（１０）における電子フィードコンテンツ検索の調整方法であって、
前記無線通信装置（１０）の所在位置決定機能部（３６）から所在位置情報を取得する工程と、
ローカライズされた電子フィードコンテンツを検索するために前記所在位置情報を利用する工程と、
を備えることを特徴とする方法。
【請求項２】
ローカライズされた電子フィードコンテンツを検索するために前記所在位置情報を利用する工程は、
電子フィードコンテンツを検索する工程と、
前記無線通信装置（１０）の現在の所在位置に関連性のある電子フィードコンテンツを識別するために、前記検索した電子フィードコンテンツを前記所在位置情報に基づいてフィルタリングする工程と
を含むことを特徴とする請求項１に記載の方法。
【請求項３】
ローカライズされた電子フィードコンテンツを検索するために前記所在位置情報を利用する工程は、
前記無線通信装置（１０）から１つ以上のコンテンツサーバ（６０）へ現在の所在位置情報を送信し、前記無線通信装置（１０）の現在の所在位置に関連性のある電子フィードコンテンツ又は対応するリンクを返信として受信する工程
を含むことを特徴とする請求項１に記載の方法。
【請求項４】
前記ローカライズされた電子フィードコンテンツに関連づけられる１つ以上の電子フィード（８０〜８６）への加入登録を確立するために前記所在位置情報を利用する工程と、
前記無線通信装置（１０）の現在の所在位置の変化に応じて前記加入登録を選択的に終了させる工程と
をさらに備えることを特徴とする請求項１に記載の方法。
【請求項５】
前記無線通信装置（１０）の１つ以上の以前の所在位置に対してローカライズされた電子フィードコンテンツを検索するために、保存された所在位置情報を利用する工程をさらに備えることを特徴とする請求項１に記載の方法。
【請求項６】
ローカライズされた電子フィードコンテンツの検索が所望される、選択された以前の所在位置を、前記無線通信装置（１０）が特定の所在位置に存在する頻度又は継続時間に基づいて識別する工程をさらに備えることを特徴とする請求項５に記載の方法。
【請求項７】
ローカライズされた電子フィードコンテンツの検索が所望される、前記選択された以前の所在位置を、前記無線通信装置（１０）が特定の所在位置に存在する前記頻度又は継続時間に基づいて識別する工程は、特定の所在位置に関連づけられた以前の加入登録履歴に基づいて、前記選択された以前の所在位置を識別する工程をさらに含むことを特徴とする請求項６に記載の方法。
【請求項８】
前記無線通信装置（１０）の所在位置決定機能部（３６）から所在位置情報を取得する工程は、
前記無線通信装置（１０）のコンテンツ検索機能部（３８）を介して前記所在位置決定機能部（３６）のクエリを行う工程と、
前記所在位置情報のすべて又は一部を、前記クエリに応じて前記コンテンツ検索機能部（３８）側において受信する工程と
を含むことを特徴とする請求項１に記載の方法。
【請求項９】
前記無線通信装置（１０）の所在位置決定機能部（３６）から所在位置情報を取得する工程は、前記所在位置決定機能部（３６）によって直接的にあるいは間接的に使用されるメモリ（１８）から前記所在位置情報のすべて又は一部を読み出し、該所在位置情報を格納する工程を備えることを特徴とする請求項１に記載の方法。
【請求項１０】
前記無線通信装置（１０）の前記所在位置決定機能部（３６）は、自律的所在位置決定機能部（３６）と、ネットワークにより補助される所在位置決定機能部（３６）と、ネットワークによりサポートされる所在位置決定機能部（３６）とのうちの１つの機能部を備えることを特徴とする請求項１に記載の方法。
【請求項１１】
ローカライズされた電子フィードコンテンツを検索するために前記所在位置情報を利用する工程は、前記所在位置情報を利用して、前記無線通信装置（１０）の現在の所在位置に関連性のあるポッドキャストコンテンツを検索する工程を含むことを特徴とする請求項１に記載の方法。
【請求項１２】
ローカライズされた電子フィードコンテンツを検索するために前記所在位置情報を利用する工程は、局所的に関連性のある電子ニュースフィードと、局所的に関連性のあるポッドキャスト・フィードと、局所的に関連性のあるウェブページとの１つ以上を検索するために前記所在位置情報を利用する工程を含むことを特徴とする請求項１に記載の方法。
【請求項１３】
電子コンテンツ検索機能部（３８）を有する無線通信装置（１０）において電子コンテンツを検索する方法であって、
前記無線通信装置（１０）内において利用可能な現在の所在位置情報を、前記無線通信装置（１０）の現在の所在位置に関連性のある電子コンテンツを検索する際に使用する前記電子コンテンツ検索機能部（３８）へ提供する工程
を備えることを特徴とする方法。
【請求項１４】
１つ以上の処理回路（１６）を備える無線通信装置（１０）であって、
前記無線通信装置（１０）の所在位置決定機能部（３６）から所在位置情報を取得し、
ローカライズされた電子フィードコンテンツを検索するために前記所在位置情報を利用する
ように構成されたことを特徴とする無線通信装置（１０）。
【請求項１５】
前記１つ以上の処理回路（１６）は、
前記所在位置情報を利用して電子フィードコンテンツを検索し、
該検索した電子フィードコンテンツを前記所在位置情報に基づいてフィルタリングして、前記無線通信装置（１０）の現在の所在位置に関連性のある電子フィードコンテンツを識別することによって、ローカライズされた電子フィードコンテンツを検索する
ように構成されたことを特徴とする請求項１４に記載の無線通信装置（１０）。
【請求項１６】
前記１つ以上の処理回路（１６）は、
前記無線通信装置（１０）から１つ以上のコンテンツサーバ（６０）へ現在の所在位置情報を送信し、前記無線通信装置（１０）の現在の所在位置に関連性のある電子フィードコンテンツ又は対応するリンクを返信として受信することによってローカライズされた電子フィードコンテンツを検索するために、前記所在位置情報を利用する
ように構成されたことを特徴とする請求項１４に記載の無線通信装置（１０）。
【請求項１７】
前記１つ以上の処理回路（１６）は、
前記ローカライズされた電子フィードコンテンツに関連づけられる１つ以上の電子フィード（８０〜８６）への加入登録を確立するために前記所在位置情報を利用し、
前記無線通信装置（１０）の現在の所在位置の変化に応じて前記加入登録を選択的に終了させる
ように構成されたことを特徴とする請求項１４に記載の無線通信装置（１０）。
【請求項１８】
前記１つ以上の処理回路（１６）は、前記無線通信装置（１０）の１つ以上の以前の所在位置にローカライズされた電子フィードコンテンツを検索するために、保存された所在位置情報を利用する
ように構成されたことを特徴とする請求項１４に記載の無線通信装置（１０）。
【請求項１９】
ローカライズされた電子フィードコンテンツの検索が所望される、選択された以前の所在位置を、前記無線通信装置（１０）が特定の所在位置に存在する頻度又は継続時間に基づいて識別するように構成されたことを特徴とする請求項１８に記載の無線通信装置（１０）。
【請求項２０】
前記１つ以上の処理回路（１６）は、特定の所在位置に関連づけられる以前の加入登録履歴に基づいて前記選択された以前の所在位置を識別するようにさらに構成されたことを特徴とする請求項１９に記載の無線通信装置（１０）。
【請求項２１】
前記１つ以上の処理回路（１６）は、前記所在位置決定機能部のクエリを行うことによって前記所在位置情報を取得するように構成されるコンテンツ検索機能部として機能することを特徴とする請求項１４に記載の無線通信装置（１０）。
【請求項２２】
前記１つ以上の処理回路（１６）は、前記所在位置決定機能部（３６）によって直接的にあるいは間接的に使用されるメモリ（１８）から前記所在位置情報のすべて又は一部を読み出すことによって、前記所在位置情報を取得するように構成されるコンテンツ検索機能部（３８）として機能することを特徴とする請求項１４に記載の無線通信装置（１０）。
【請求項２３】
前記無線通信装置（１０）の前記所在位置決定機能部（３６）は、自律的所在位置決定機能部（３６）と、ネットワークにより補助された所在位置決定機能部（３６）と、ネットワークによりサポートされた所在位置決定機能部（３６）とのうちの１つの機能部を含むことを特徴とする請求項１４に記載の無線通信装置（１０）。
【請求項２４】
前記１つ以上の処理回路（１６）は、前記所在位置情報を利用し、該所在位置情報を利用することによって、ローカライズされた電子フィードコンテンツを検索して、前記無線通信装置（１０）の現在の所在位置に関連性のあるポッドキャストコンテンツを検索することを特徴とする請求項１４に記載の無線通信装置（１０）。
【請求項２５】
前記１つ以上の処理回路（１６）は、前記所在位置情報を利用し、該所在位置情報を利用することによって、ローカライズされた電子フィードコンテンツを検索し、局所的に関連性のある電子ニュースフィードと、局所的に関連性のあるポッドキャスト・フィードと、局所的に関連性のあるウェブページとのうちの１つ以上を検索することを特徴とする請求項１４に記載の無線通信装置（１０）。
【請求項２６】
電子フィードコンテンツサーバ（６０）における電子フィードコンテンツ検索の調整方法であって、
電子フィードコンテンツを要求する無線通信装置（１０）のための所在位置情報を受信する工程と、
前記所在位置情報に基づいてローカライズされた電子フィードコンテンツを識別する工程と、
前記ローカライズされた電子フィードコンテンツを含むか、或いは、該コンテンツを識別する応答を前記無線通信装置（１０）に返信する工程と、
を備えることを特徴とする方法。
【発明の詳細な説明】
【技術分野】
【０００１】
本発明は、セルラ無線電話機のような無線通信装置に関し、特にこのような装置を介する電子フィードコンテンツの受信に関する。
【０００２】
拡張マークアップ言語（ＸＭＬ）や、他のＨＴＭＬ及びＪａｖａ（登録商標）Ｓｃｒｉｐｔのような言語の急増により、ウェブフィードなどの電子「フィード」が引き起こされている。電子フィードは、該フィードを主催するサイトを通じて入手可能なコンテンツ、又は、別のサイトからのリンクを通じて入手可能な電子コンテンツに対応する変動する項目リストへアクセスする。複数のサイトを通じて入手可能なコンテンツは「シンジケート化」コンテンツと呼ばれることが多い。
【０００３】
フィードベースのコンテンツのリンク及び配信は、その加入登録モデルに起因して、別のタイプのオンラインメディア配信とは区別される。この加入登録モデルは、ＲＳＳ又はＡｔｏｍベースのフィードのようなフィードを利用して、電子コンテンツを配信するものである。電子フィードは、一般に、該電子フィードが含まれているコンテンツ又はリンクされているコンテンツのサマリーを、このようなコンテンツを検索するための対応リンクと共に提供するものである。したがって、インターネットユーザは、フィードへの「加入登録」によってコンテンツの利用が可能になったとき、関心対象の新しいコンテンツにアクセスしたり、あるいは、選択したフィードから上記コンテンツを別様に検索したりすることが可能となる。加入登録は、一般に、更新済みフィードコンテンツの自動化された通知を提供し、オプションとして、更新済みコンテンツの自動化された検索を提供するものである。
【０００４】
これらの加入登録ベースの電子フィードの柔軟性と性能の一部として、これらの電子フィードが、テキスト、オーディオ、ビデオ、マルチメディア、画像などのような任意のコンテンツタイプを含むことができたり、このコンテンツタイプとリンクできたりするという点が挙げられる。フィードの登録加入者は、当該フィードへの既存の加入登録の修正や削除を自分の個人的な好みに基づいて行うことができる。ポッドキャスティングとは、ある特定タイプの電子フィードであり、オーディオコンテンツに対して、サマリーと、対応するリンクとを提供するタイプのものである。但し、ポッドキャスト・フィードはビデオ又はマルチメディアコンテンツのような別のコンテンツタイプともリンクすることができる。
【０００５】
電子フィードコンテンツのための最も優勢な加入登録シナリオは、適切なソフトウェアを備えて構成されるパーソナルコンピュータ（ＰＣ）を必要とすることはほぼ間違いない。「アグリゲータ（aggregator）」という用語は、一般に、異なる電子フィードを組み立てて、ユーザに対してさらに簡単な表示を行うために統合化された形に変えるコンピュータソフトウェアを特定する用語である。特定のタイプの電子フィードに対象が絞られるアグリゲータはさらに専門化された名称によって知られている。例えば、「ポッドキャッチャ(podcatcher)」という用語は、一般に、（解説など）オーディオファイルのコレクションであるポッドキャスト・フィードに対象が絞られるアグリゲータソフトウェアを示す用語である。ニュースリーダは、別の形のアグリゲータソフトウェアを表わし、典型的にはＲＳＳ(Really Simple Syndication）フィードとして入手可能なニュースの購読に対象が絞られるものである。
【０００６】
ＰＣは、電子フィードコンテンツを検索するための主要なプラットフォームではあるが、セルラハンドセットのような携帯用無線通信装置の高性能化が果てしなく進むにつれ、ＰＣはますます、電子フィードを介してコンテンツにアクセスするための実行可能なプラットフォームとなっている。実際、ＰＣの相対的に広い表示部と、一般に良好なオーディオ品質と、組み込み型パケットデータのネットワークアクセスとを備えているため、セルラハンドセット及び他の無線装置は、公衆情報ネットワークと私設情報ネットワークとの少なくともいずれかにおいて利用可能な電子フィードコンテンツへアクセスするための使い勝手のよい手段を表わすものとなっている。言うまでもなく、このような装置の移動体としての性質は既存の電子加入登録サービスモデルをモバイル環境に適合させるための挑戦すべき課題と機会の双方を提起している。
【発明の開示】
【発明が解決しようとする課題】
【０００７】
本明細書で教示されているように、無線通信装置が、該装置の所在位置に応じて調整される電子コンテンツの検索機能部を提供する。
【課題を解決するための手段】
【０００８】
１つの実施形態によれば、方法が、無線通信装置の所在位置決定機能部から得られる所在位置情報を取得する工程と、この所在位置情報を利用して、「ローカライズされた」電子フィードコンテンツ、すなわち、現在の（又は過去の）装置の所在位置に特に関連性のあるコンテンツを検索する工程と、を備える。
【０００９】
したがって、無線通信装置を構成して、無線通信装置内で利用可能な所在位置情報を利用して電子フィードコンテンツの検索を調整することが可能となる。例えば、上記装置は、その現在の所在位置を自動的に利用して、ローカライズされたニュースフィード、ローカライズされたポッドキャスト、ローカライズされたウェブページ、などを検索することができる。１つの実施形態では、上記装置は、電子フィードコンテンツを検索し、次いで、所在位置情報に基づいて、このコンテンツをフィルタリングするか、該コンテンツの構文解析を別様に行って、装置のユーザに表示できるか、該ユーザが別様に利用できる局所的に関連性のあるコンテンツを識別する。
【００１０】
別の実施形態では、装置はその所在位置情報のすべて又は一部をリモート・コンテンツサーバや別のエンティティへ提供し、該コンテンツサーバは上記情報に基づいてローカライズされたコンテンツを送信する。したがって、電子フィードコンテンツを要求する無線通信装置のために所在位置情報を受信する工程と、この受信した所在位置情報に基づいてローカライズされた電子フィードコンテンツを識別する工程と、該ローカライズされた電子フィードコンテンツを含むか、又は、該コンテンツを識別する応答を無線通信装置に対して返信する工程とに基づいて、上記コンテンツサーバ又は別のネットワークエンティティは、電子フィードコンテンツの検索を無線通信装置により調整する方法を実行するように構成することができる。
【００１１】
装置がコンテンツをフィルタリングして、ローカライズされた情報を識別するか、あるいは、リモートサーバがこのようなフィルタリングを実行するかにかかわらず、装置は、装置の現在の所在位置の変化に応じてローカライズされたフィードへの加入登録を確定し、この登録を終了させるように構成することができる。さらに、装置は、所在位置を格納するか、別様にこれらの所在位置を追跡し、次いで前の所在位置に関連するローカライズされたコンテンツを検索するように構成することができる。
【００１２】
上記のようなすべての実施形態において、調整されたコンテンツの検索のために無線通信装置を構成する工程は、１つ以上の適切に構成された処理回路を装置内に備えることができる。一例として、装置内の１つ以上のマイクロプロセッサ、ＤＳＰ、又は別のデジタル処理回路は、電子コンテンツ検索機能部を実現するコンピュータプログラム命令を実行するように構成することができる。この電子コンテンツ検索機能部は、例えば、装置内で利用可能な所在位置情報を所在位置決定機能部から取得する工程と、ローカライズされた電子フィードコンテンツを検索するために当該所在位置情報を利用する工程とを含むことができる。したがって、調整された電子コンテンツの検索のすべて又は一部は、本明細書に記載のように、無線通信装置がソフトウェア、ファームウェア、又はマイクロコードとして格納したコンピュータプログラム又はサブプログラムとして実現可能である。
【００１３】
言うまでもなく、本発明は上記特徴及び利点のみに限定されるわけではない。当業者は、以下の詳細な説明を読み、添付図面を見るとき、追加の特徴及び利点を認識することになる。
【発明を実施するための最良の形態】
【００１４】
図１は、装置１０の現在の所在位置又は過去の所在位置に基づいて、調整された電子フィードコンテンツの検索のために構成された無線通信装置１０のブロック図である。すなわち、装置１０は、その現在の所在位置と、過去の（単複の）所在位置との少なくともいずれかと特定の関連性を有する電子コンテンツにアクセスするか、あるいは、該電子コンテンツを別様に検索するように構成される。
【００１５】
例示の実施形態では、装置１０は、受信／送信アンテナ１２と、（例えばセルラトランシーバ回路などの）無線通信回路１４と、ベースバンド／システム制御回路１６と、メモリ回路１８と、入出力（Ｉ／Ｏ）インタフェース回路２０と、さらにユーザインタフェースとを備える。上記ユーザインタフェースには、マイク２２、スピーカ２４、オーディオラインアウト回路２６、カメラ２８、バイブレータ３０、キーパッド３２、及び表示画面３４が含まれる。
【００１６】
言うまでもなく、装置１０の意図する使用に従って、この装置の細部を変えることができることは明らかである。例えば、必要に応じてあるいは希望に応じて、１つ以上の例示のユーザインタフェース要素を装置１０から省いてもよいし、別のユーザインタフェース要素を代わりに用いたり、追加したりしてもよい。さらに一般的に言えば、文脈において別様に述べられていない限り、本明細書で使用されているように、「無線通信装置」という用語は、セルラハンドセット、無線ページャ、ＰＤＡ、パームトップ／ラップトップコンピュータ、など（但し、これらに限定されるわけではない）を含むものとしておおまかに解釈すべきであることは明らかである。
【００１７】
無線通信回路１４の実際の実装構成は装置１０の特定の用途に依存することになる。例えば、装置１０は、ＣＤＭＡ２０００、広帯域ＣＤＭＡ、又はＧＳＭ／ＧＰＲＳ規格に準拠して動作するように構成されたセルラハンドセットを備えることができる。別の例では、装置１０は、ブルートゥース、ＷｉＦｉ、８０２．２０、ＷｉＭＡＸ、又は別の無線接続規格に準拠して動作するように構成された無線ハンドセットを備えることができる。したがって、無線通信回路１４は、対応するエアインタフェースプロトコルに準拠して動作するように適切に構成されたトランシーバを備えることができる。
【００１８】
上記例示の実施形態の文脈において、調整されたコンテンツの検索の詳細に目を向けると、ベースバンド／システム制御回路１６は、一般に、所在位置決定機能部３６とコンテンツ検索機能部３８とを含むか、これらの機能部に関連づけられる。これらの機能部は、装置１０内の物理的回路又はサブシステムとして実装可能であり、あるいは、コンピュータプログラム命令の中に組み込まれた機能「回路」として全体的に又は部分的に実装可能である。上記に関係なく、装置１０が、該装置の回路内で利用可能な所在位置情報を有していることは明らかである。この所在位置情報は、調整されたコンテンツの検索という理由の他に、複数の理由によって装置１０により決定されものであってもよい。特に、コンテンツ検索機能部３８は、上記情報を利用して機能部３８による電子フィードコンテンツの検索を調整し、それによって、装置１０での表示や他の用途などのために、該装置の現在又は過去の（単複の）所在位置と特定の関連性を有するローカライズされたコンテンツを検索しようとするものである。
【００１９】
したがって、ベースバンド／システム制御回路１６は、１つ以上のハードウェア回路と、機能回路を実現するコンピュータプログラム命令を実行するデジタル処理論理回路との少なくともいずれかの回路を備えることができることは明らかである。一般に、ベースバンド／システム制御回路１６が、ベースバンド信号を処理し、システム制御機能を実行する能力を備えたハードウェアとソフトウェアとの任意の所望の混合したものを備えることができることは明らかである。したがって、これらの回路は、１つ以上の汎用プロセッサ（ＧＰＰ）、デジタル信号プロセッサ（ＤＳＰ）、特定用途向け集積回路（ＡＳＩＣ）、フィールドプログラマブルゲートアレイ（ＦＰＧＡ）、等として、あるいは、これらの任意の好適な組み合わせとして実現可能である。処理回路の実装上の柔軟性を補いながら、（単複の）メモリ回路１８は、静的情報と動的情報の少なくともいずれかの情報を格納するための好適な任意の回路タイプ（例えば、ＤＲＡＭ、ＳＤＲＡＭ、ＤＤＲ  ＳＤＲＡＭ、ＳＲＡＭ、ＮＶＲＡＭ、ＭＲＡＭ、フラッシュ、ＮＯＲフラッシュ、ＮＡＮＤフラッシュ、ＰＲＯＭ、ＥＰＲＯＭ、ＥＥＰＲＯＭ、等あるいはこれらの任意の好適な組み合わせ）を備えることができる。
【００２０】
上記の実装上の柔軟性を考慮して、装置１０は、サポート無線通信ネットワーク４０と無線で通信するように構成される。このネットワーク４０は、１つ以上のコンテンツサーバを含むか、あるいは、１つ以上のコンテンツサーバへアクセスを行う。このコンテンツサーバは、電子フィードコンテンツを装置１０へ提供することができるか、このようなコンテンツの（ネットワークでの）所在位置を識別するリンクを提供することができるかの少なくともいずれかを行うことができる。１つの例として、ネットワーク４０はＷＣＤＭＡベースの無線アクセスネットワークを備えることができる。そして、１つ以上のパケットベースのコアネットワークは、インターネットのような１つ以上の公衆データネットワークと私設データネットワークとの少なくともいずれかへアクセスを行う。
【００２１】
上記文脈において、装置１０は、電子フィードコンテンツを要求すると共に、現在と過去の少なくともいずれかの所在位置情報を送信することにより、ローカライズされたコンテンツを検索することができる。図２はリモート・コンテンツサーバ用の補完的処理ロジックの１つの実施形態の概要を示す図である。ローカライズされたコンテンツの検索の際に利用するために、上記装置１０において利用可能な現在と過去の少なくともいずれかの所在位置情報が得られ（ステップ１０２）、次いで、該所在位置情報は直接的に、あるいは、間接的にリモート・コンテンツサーバへ提供される（ステップ１０４）。
【００２２】
次いで、リモート・コンテンツサーバは、上記のような所在位置情報を受信し、１つ以上の電子フィードにアクセス（ステップ１０６）し、電子フィードに含まれているローカライズされたコンテンツを上記所在位置情報に基づいて識別し（ステップ１０８）、ローカライズされた電子フィードコンテンツを含むか、識別された装置１０に対して返信応答を提供する（ステップ１１０）ように構成することができる。すなわち、コンテンツサーバは、ローカライズされた電子フィードコンテンツを送信するか、ローカライズされた電子フィードコンテンツに対応するリンク（ネットワークアドレス）を送信するか、あるいは、これらの混合したもののいくつかを送信することができる。このような実施形態によって、装置１０は提供された所在位置情報に基づいてリモート・コンテンツサーバにより「プレフィルタされた」コンテンツか、あるいは、別様に構文解析されたコンテンツを受信する。
【００２３】
別の実施形態において、装置１０がそのコンテンツ要求の一部として所在位置情報を送信できない場合がある。このような実施形態では、後程本明細書で詳述するように、コンテンツサーバは、所在位置情報に基づいて装置１０がフィルタしたり、構文解析したりすることができる情報やリンクを送信して、装置１０の現在の又は過去の所在位置に関連するコンテンツを識別することができる。
【００２４】
上記文脈において、装置１０は、例えば、所望の主題やコンテンツタイプの好みなどに従って、リモート・コンテンツサーバから電子フィードコンテンツを要求することによりローカライズされたコンテンツを検索することができる。次いで、装置１０は、該装置の現在又は過去の所在位置情報に基づいて、検索したコンテンツをフィルタリングするか、あるいは別様に該コンテンツの構文解析を行ってこのコンテンツに含まれているローカライズされたコンテンツを識別することができる。図３は、装置１０用の補完的処理ロジックの１つの実施形態の概要を示す図である。この回路において、上記装置内で利用可能な現在と過去の少なくともいずれかの所在位置情報が取得され、ローカライズされたコンテンツの検索時に利用される（ステップ１１２）。
【００２５】
次いで、装置１０は、リモート・コンテンツサーバを介して１つ以上の電子フィードにアクセスし、次いで、電子フィードコンテンツを受信することができる（ステップ１１４）。装置１０は、該装置の所在位置情報に基づいて電子フィードコンテンツをフィルタリングするか、該コンテンツを構文解析することによってローカライズされたコンテンツを識別する。このようにして、装置１０によりリモート・コンテンツサーバを利用して、電子フィードにアクセスし、この電子フィードを検索することはできるが、このコンテンツは、上記装置の所在位置情報に基づいて「予めフィルタされ」たり、別様に構文解析されたりしたものではない。装置１０は、該装置の所在位置情報に基づいて、電子コンテンツをフィルタリングするか、このコンテンツを構文解析して、ローカライズされたコンテンツを検索する。
【００２６】
一般に、この時、装置１０は現在か過去の所在位置情報を利用してローカライズされたコンテンツを検索する。そして、現在と過去の少なくともいずれかの所在位置情報が、装置１０において利用可能であり、ローカライズされたコンテンツの検索時に利用されると、コンテンツ検索機能部３８の視点から仮定することができる。例えば、所在位置決定機能部３６は、コンテンツ検索機能部とは無関係に装置１０の中に含むことができるものであることを理解されたい。すなわち、所在位置情報は、ローカライズされたコンテンツの検索以外の理由のために、又は、ネットワーク４０内でのこの装置の動作の固有部分として装置の中に存在することができる。
【００２７】
いずれにせよ、所在位置情報を装置１０内で利用可能にするための複数の方法が存在する。例えば、ネットワーク４０に関して所在位置決定機能部３６が自律的に作動するようにすることができる。その場合、所在位置決定機能部３６は、ネットワークの補助をほとんど受けずに、あるいは、まったくネットワークの補助なしで装置の所在位置を決定する。したがって、位置決定機能部３６は装置１０内に実装されたＧＰＳベースの位置決定回路を備えることができる。
【００２８】
別の実施形態では、所在位置決定機能部３６はネットワークにより補助される位置決定機能部を含むことができる。その場合、ネットワーク４０は、例えば、着信時刻情報とセル所在位置情報の少なくともいずれかを装置１０に提供して、所在位置の判定を補助する。別の実施形態では、所在位置決定機能部３６はネットワークによりサポートされた位置決定機能部を含むことができる。その場合、ネットワーク４０は装置１０にその現在の所在位置を効果的に「教える」ことになる。例えば、ネットワーク４０は、国、地域、又は都市の識別子、定められた所在位置を対応づけるネットワーク識別子、郵便番号、電話エリアコード、緯度／経度データ、などを送信することができる。したがって、装置１０は、ネットワーク４０から受信した識別子や別の情報を物理的な所在位置や地域に対応づけるように構成することができることになる。
【００２９】
また、いくつかの実施形態では、あるいは、いくつかのタイプの電子コンテンツについては、例えば、国、州、地域、等の一般的な意味での装置１０の「所在位置」を決定してもよいことも理解されたい。この種の一般化された所在位置識別子は、ニュースフィード、ポッドキャスト・フィード、気象フィード、タイムサーバフィード、株式市場フィード、又は広い地理上の領域に関連する別のフィードを検索するのに十分な適切なものになり得る。
【００３０】
別の実施形態では、あるいは、いくつかのタイプのコンテンツについては、座標範囲や、特定の建造物、街区、都市又は町に対応する別の識別子のようなさらに正確な所在位置情報を利用することが望ましい。当業者であれば認識できるように、さらに正確な所在位置を示す特定の識別子は、特定の都市に関連するニュースやポッドキャスト・フィードのようなさらに詳細に「ローカライズされた」コンテンツを検索する機会を提供することになる。このようなコンテンツは好みのトピックや主題を示す識別子に基づいて限定することができる（このような好みは装置１０のユーザにより設定することができる）。
【００３１】
上記を考慮して、図４はネットワークの配置構成５０を例示する図である。ここで、装置１０はサポート無線通信ネットワーク４０を介して直接的にあるいは間接的にリモート・コンテンツサーバ６０と通信を行う。例示のネットワークの実施形態では、リモート・コンテンツサーバ６０は装置１０に関連する所在位置情報を受信し、この情報を利用して、インターネット接続であってもよいネットワーク接続７０を経由して電子フィード８０〜８６から利用できるようなローカライズされたコンテンツを提供する。すなわち、リモート・コンテンツサーバ６０は、電子フィード８０〜８６がさらに広範囲のコンテンツを利用可能にする程度まで、所在位置情報に従ってこのような情報をフィルタリングするように構成することができ、それによってローカライズされたコンテンツは装置１０へ提供されることになる。
【００３２】
言うまでもなく、リモート・コンテンツサーバ６０は、装置からの要求時に特定される主題やコンテンツタイプの好みに従って、あるいは、装置１０においてアクティブなコンテンツフィードの加入登録によって定めたように、フィルタを行うことも可能である。実際、リモート・コンテンツサーバ６０は、その既存の設定値や複数の基準あるいはフィルタに従って、電子フィード８０〜８６にアクセスするためのテンプレートを修正することができる。さらに、例えば、上記装置のメモリに格納された複数の設定値やテンプレートを含むことができる。これらの設定値やテンプレートは、電子フィードへのアクセス方法と、該電子フィードのフィルタ方法とを決定するものである。
【００３３】
例えば、ＲＳＳタイプの電子フィードの場合、リモート・コンテンツサーバ６０は、項目と、チャネル、必要な要素と、オプションの要素と、カテゴリと、検索結果と、氏名用スペースのようなカスタマイズ可能な要素との少なくともいずれかのようなパラメータに関連する設定値を含むことができる。このようなカスタマイズ可能な要素として、（例えば緯度／経度座標、街路の番地、都市、州、郵便番号、国、電話番号、エリアコード、等の）前述した種類のような所在位置パラメータがある。特に、リモート・コンテンツサーバ６０は、装置１０用として受信した所在位置情報を利用して所在位置パラメータをポピュレートすることができる。
【００３４】
専ら例示を目的として、図５は、ＸＭＬの氏名用スペースフィーチャを使用するＲＳＳ２．０対応コードを例示し、緯度（＜position:latitude＞）及び経度（＜position：longitude＞）の位置座標用としてカスタマイズされた要素を提示する図である。動作中、リモート・コンテンツサーバ６０は、これらの緯度と経度の要素に従って、又は、別の形の所在位置情報に従って、装置１０が登録している上記電子フィードをフィルタリングすることができる。例えば、リモート・コンテンツサーバ６０は、装置１０と同一の（又はその近辺の）緯度及び経度座標を有する電子フィードコンテンツのみを探索しながら、着信する電子フィードのコンテンツの構文解析を行うことができる。
【００３５】
本発明を限定するものではない別の実施形態として、図６は、都市（＜location：city＞）、州（＜location：state＞）、及び国（＜location：country＞）の所在位置パラメータ用としてカスタマイズされた要素を提供するＲＳＳ２．０対応コードを例示する図である。動作中、リモート・コンテンツサーバ６０は、都市、州及び国の要素に基づいて電子フィードをフィルタしたり、電子フィードの構文解析を行ったりすることができる。詳細には、リモート・コンテンツサーバ６０は、装置１０と同一の（又は近辺の）都市、州、又は国の所在位置を有する電子フィードコンテンツのみを探索しながら、着信電子フィードのコンテンツの構文解析を行うことができる。
【００３６】
例えば、装置１０の現在の所在位置がニューヨーク市であれば、リモート・コンテンツサーバ６０は、＜location：city＞要素の中に「ニューヨーク市」を含む電子フィードコンテンツを探索しながらフィード８０〜８６の構文解析を行うことができる。ポッドキャストの場合、装置１０は、ニューヨーク市に関係するオーディオファイルを表示するか、再生するかの少なくともいずれかを行うことも可能であり、例えば、レストランのレビューなどの主題に従ってニューヨーク関連のポッドキャストをさらに選択することも可能である。
【００３７】
一般に、フィード８０〜８６の構造とコンテンツとの少なくともいずれかを用いて、リモート・コンテンツサーバ６０により電子フィード８０〜８６を非常に多くの方法でフィルタリングして、ローカライズされた電子フィードコンテンツを装置１０のために検索できることは当業者であれば理解できよう。したがって、フィードの構造とコンテンツの少なくともいずれかと、無線通信装置に関連する所在位置情報とに基づいて電子フィードをフィルタリングする任意の方法について本明細書で考えることにする。さらに、フィルタリング、選択及び識別を行うこれらのメカニズムは、装置１０のコンテンツ検索機能部３８内に全体的に又は部分的に実装可能であり、コンテンツサーバによる外部フィルタリングが不要となることは明らかである。すなわち、装置１０は局所的に関連性のある電子フィードコンテンツを識別し、検索することが可能となる。
【００３８】
オプションとして、装置１０とリモート・コンテンツサーバ６０との少なくともいずれかは、装置１０の１つ以上の過去の所在位置に関連する所在位置情報を追跡するか、あるいは別様にこの所在位置情報を格納し、それによって装置１０が、１つ以上の過去の所在位置に関連するローカライズされたコンテンツを受信するようにすることができる。ローカライズされたコンテンツを所望するための関連する過去の所在位置の識別は、ユーザ入力の受信に基づいて行ってもよいし、あるいは、装置１０が所定の所在位置に存在する頻度又は持続時間を追跡することなどによって自動的に行うようにしてもよい。１つの例として、関連性のあるローカライズされたコンテンツへアクセスした１回以上の電子フィードへの加入登録を自動的に確立し、維持するためのしきい値トリガとして、装置１０が所定の所在位置（この位置は、都市などのように狭く定義してもよいし、あるいは、州、地域、国などのように広く定義してもよい）に存在した回数又は過去の所在継続時間を利用することができる。
【００３９】
さらに、オプションとして、例えば、１つ以上の過去の所在位置に関連するローカライズされたコンテンツを受信したとき、装置１０は、１つ以上の過去の所在位置に関連づけられる好みと傾向との少なくともいずれかのような以前の加入登録履歴を後で使用するために追跡し、格納することもできる。１つの例として、所定の所在位置に存在したとき、装置１０が特定の電子フィードにアクセスした回数若しくは過去の所在継続時間を用いて、しきい値トリガを改善することができる。さらに、ローカライズされたコンテンツを検索するための対象所在位置を優先させることができる。これは部分的に又は全体的に自動ベースでユーザにより行うことが可能であり、それによって２つ以上の所在位置（すなわち、現在の所在位置と複数の以前の所在位置とが混合した位置）に対応するローカライズされたコンテンツを検索するようにし、しかも所在位置の優先順位に従ってこのローカライズされたコンテンツをユーザに示すようにする。また、例えば、異なる所在位置に対応して主題の好みをユーザにより設定し、それによって、様々な都市における様々な種類のローカライズされたコンテンツを検索するようにすることも可能である。例えば、１つの都市での気象フィードが自動的にダウンロードされるが、別の都市の気象フィードは検索しないようにすることも可能である。
【００４０】
追加の又は代替のオプションとして装置１０は、もはや関連性のない電子フィードの登録を終了させるように構成することができる。例えば、必要に応じて、装置１０を構成して、該装置が当該所在位置へ移動したことを検出するステップに応じて、新たな加入登録を確立したり、既存の加入登録を修正したりして、所定の都市に関連するローカライズされたコンテンツを検索するようにすることができる。装置１０は、それが都市又はその近辺の外側へ移動したことを判定するステップに応じて上記加入登録を終了させたり、修正したりすることができる。この構成は、必要に応じて、装置１０が電子フィードの加入登録を所在位置の変動に応じて自動的に確立し、修正し、終了させることを可能にするものである。
【００４１】
図７は、上記の機能性を実現する１つの処理ロジックの実施形態を例示する図であり、この処理ロジックはコンテンツ検索機能部３８に関連づけられたコンピュータプログラム命令として実装することも可能である。例示のロジックによれば、装置１０は、例えば、その現在の所在位置情報に関連性のあるコンテンツを含む１つ以上の電子フィードに一時的に登録する（ステップ１２０）。装置１０はこれらの登録したフィードから電子フィードコンテンツを検索する一方、この装置１０は現在の所在位置に、又は少なくともそのエリア近辺の範囲内にそのまま残っている（ステップ１２２）。装置１０の更新された所在位置に関連するコンテンツを含まなくなった電子フィードへの一時的加入登録は取り消されるか、別様に修正され（ステップ１２４）、次いで、新たに局所的に関連性のある加入登録を確立することができる。
【００４２】
本明細書に記載の複数の実施形態は無線通信装置を教示するものであり、該無線通信装置は、１つ以上の電子フィードからローカライズされたコンテンツを検索するように構成されるか、ローカライズされたコンテンツを検索するように別様に適合される。その場合、ローカライズされたコンテンツは上記装置の現在又は過去の所在位置に特に関連性がある。しかし、特定の実施形態という点から本発明について説明したが、本発明は上述の説明によっても、また、添付図面によっても限定されるものではないことは明らかである。代わりに、本発明は、上記特許請求項の範囲並びにそれらの合法的均等物によってのみ限定されるものである。
【図面の簡単な説明】
【００４３】
【図１】１つ以上の電子フィードからローカライズされたコンテンツを検索するように構成される無線通信装置のブロック図である。
【図２】無線通信装置によってローカライズされた電子コンテンツを検索するための１つの実施形態のロジックフロー図である。
【図３】無線通信装置によってローカライズされた電子コンテンツを検索するための別の実施形態のロジックフロー図である。
【図４】ネットワーク構成の１つの実施形態の線図であり、無線通信装置は１つ以上の電子フィードからローカライズされたコンテンツを検索するように構成される。
【図５】所在位置情報識別子の例である。
【図６】所在位置情報識別子の例である。
【図７】無線通信装置によってローカライズされた電子コンテンツを検索するための別の実施形態のロジックフロー図である。
【図１】
2009514091.tif 000003
【図２】
2009514091.tif 000004
【図３】
2009514091.tif 000005
【図４】
2009514091.tif 000006
【図５】
2009514091.tif 000007
【図６】
2009514091.tif 000008
【図７】
2009514091.tif 000009
【手続補正書】
【提出日】平成19年5月3日(2007.5.3)
【手続補正１】
【補正対象書類名】特許請求の範囲
【補正対象項目名】全文
【補正方法】変更
【補正の内容】
【特許請求の範囲】
【請求項１】
無線通信装置（１０）における電子フィードコンテンツ検索の調整方法であって、
前記無線通信装置（１０）の所在位置決定機能部（３６）により取得された所在位置情報を保存する工程と、
前記無線通信装置（１０）の１つ以上の以前の所在位置に対してローカライズされた電子フィードコンテンツを検索するために、保存された前記所在位置情報を利用する工程と、
を備えることを特徴とする方法。
【請求項２】
ローカライズされた電子フィードコンテンツの検索が所望される、選択された以前の所在位置を、前記無線通信装置（１０）が特定の所在位置に存在する頻度又は継続時間に基づいて識別する工程をさらに備えることを特徴とする請求項１に記載の方法。
【請求項３】
ローカライズされた電子フィードコンテンツの検索が所望される、前記選択された以前の所在位置を、前記無線通信装置（１０）が特定の所在位置に存在する前記頻度又は継続時間に基づいて識別する工程は、特定の所在位置に関連づけられた以前の加入登録履歴に基づいて、前記選択された以前の所在位置を識別する工程をさらに含むことを特徴とする請求項２に記載の方法。
【請求項４】
前記無線通信装置（１０）が前記特定の所在位置に存在する頻度又は継続時間に応じて、前記ローカライズされた電子フィードコンテンツと関連づけられた１つ以上の電子フィード（８０〜８６）について確立された前記加入登録を選択的に終了させる工程をさらに備えることを特徴とする請求項２に記載の方法。
【請求項５】
１つ以上の処理回路（１６）を備える無線通信装置（１０）であって、
前記無線通信装置（１０）の所在位置決定機能部（３６）により取得された所在位置情報を保存し、
前記無線通信装置（１０）の１つ以上の以前の所在位置に対してローカライズされた電子フィードコンテンツを検索するために、保存された前記所在位置情報を利用する
ように構成されたことを特徴とする無線通信装置（１０）。
【請求項６】
ローカライズされた電子フィードコンテンツの検索が所望される、選択された以前の所在位置を、前記無線通信装置（１０）が特定の所在位置に存在する頻度又は継続時間に基づいて識別するように構成されたことを特徴とする請求項５に記載の無線通信装置（１０）。
【請求項７】
前記１つ以上の処理回路（１６）は、特定の所在位置に関連づけられる以前の加入登録履歴に基づいて前記選択された以前の所在位置を識別するようにさらに構成されたことを特徴とする請求項６に記載の無線通信装置（１０）。
【請求項８】
前記１つ以上の処理回路（１６）は、
前記無線通信装置（１０）が前記特定の所在位置に存在する頻度又は継続時間に応じて、前記ローカライズされた電子フィードコンテンツと関連づけられた１つ以上の電子フィード（８０〜８６）について確立された前記加入登録を選択的に終了させる
ように構成されたことを特徴とする請求項６に記載の無線通信装置（１０）。
【国際調査報告】
2009514091.tif 000010
2009514091.tif 000011
2009514091.tif 000012